(57)【要約】【課題】大量の汗を吸い込んでも腰紐を緩めたり締め付けたりすることが容易な、着用感にも優れた武道着下衣を提供する。【解決手段】  ウエスト部周りに少なくとも２周巻回される締め付け紐を有する武道着下衣であって、腰部には、前記締め付け紐を通す板状部材を有し、該板状部材は、上下２段に区分されており、各段に前記締め付け紐が１回ずつ通される武道着下衣とする。【選択図】図２
2009249796.tif 000002
【特許請求の範囲】
【請求項１】
ウエスト部周りに少なくとも２周巻回される締め付け紐を有する武道着下衣であって、腰部には、前記締め付け紐を通す板状部材を有し、該板状部材は、上下２段に区分されており、各段に前記締め付け紐が１回ずつ通される武道着下衣。
【発明の詳細な説明】
【技術分野】
【０００１】
本発明は、柔道、空手、各種拳法等の際に着用の際に好適な武道着に関する。
【背景技術】
【０００２】
柔道、空手、各種拳法などで稽古着、試合着として用いられている、上衣と下衣とからなる武道着は、一般に耐久性や堅牢性が重視されており、脱ぎ着のしやすさや着用感という観点では必ずしも満足のいくものではなかった。特にウエスト部については、締め付け紐を１重もしくは２重にして結ぶだけであるため紐が身体に食い込み易く、また、１重の場合には着脱の際に紐が抜けてしまい易く、２重の場合には、紐が抜けにくいものの、着用時に大量の汗を吸い込むと２重に巻かれた紐同士の摩擦抵抗が高くなり、紐を緩めたり締め付けたりすることが容易でないという問題があった。
【０００３】
例えば、武道着の下衣に関しては、特許文献１に、着用者の動きを妨げずに激しい動き時にも着崩れを生じないように、底辺が他の同一長の二辺よりも長い略二等辺三角形状の襠を、該襠の底辺が両脚部の内腿部を結ぶ線に沿い、且つ該底辺に対向する頂点が臀部側になるように股間部に縫い付けた下衣が提案されている。この文献に記載の下衣は、股間部の臀部側において襠の分だけ布地の遊びが多くなるので、着用した際には該遊びが身体臀部の膨らみを吸収し、腹部側でも充分な股上深さを確保することができるものである。しかしながら、ウエスト部については、紐を単純に２重に重ねて腰紐通しに通すものであって、上記したような問題を解決できるものではなかった。
【特許文献１】特開２０００−１１００１４号公報
【発明の開示】
【発明が解決しようとする課題】
【０００４】
本発明は、大量の汗を吸い込んでも腰紐を緩めたり締め付けたりすることが容易な、着用感にも優れた武道着下衣を提供することを目的とする。
【課題を解決するための手段】
【０００５】
上記目的を達成するための本発明は、ウエスト部周りに少なくとも２周巻回される締め付け紐を有する武道着下衣であって、腰部には、前記締め付け紐を通す板状部材を有し、該板状部材は、上下２段に区分されており、各段に前記締め付け紐が１回ずつ通される武道着下衣を特徴とするものである。
【発明の効果】
【０００６】
本発明によれば、腰部に設けられた締め付け紐を通す板状部材が上下２段に区分されており、各段に前記締め付け紐が１回ずつ通されるので、腰部において締め付け紐が重ったり交差したりせず、並行に配置される。そのため、脱着時に締め付け紐の滑りがよくなり、発汗等で水分を大量に含んだ状態であっても、紐を緩めたり締め付けたりすることが容易になる。また、締め付け紐を通す部材として板状のものを採用することで、２周巻かれた締め付け紐による締め付け力を、幅広の面で身体に作用させることができる。そのため、着用時に締め付け紐が身体に局所的に食い込んで圧迫したりすることがなく、また、腰や脊髄を保護することもできる。
【発明を実施するための最良の形態】
【０００７】
以下、本発明の最良の実施形態の例を、図１、図２を参照しながら説明する。図１は、本発明の一実施形態を示す武道着下衣の概略模式図（（ａ）前面側、（ｂ）背面側）であり、図２は、図１に示す武道着下衣のウエスト部２０を上方から開いて見た概略模式図（（ａ）ウエスト部２０の全体図、（ｂ）板状部材３の拡大図）である。
【０００８】
図１に示す本発明の武道着下衣１は、脚部１０と、ウエスト部２０と、ウエスト部２０の周りを２周巻回されるだけの長さを有する締め付け紐２を有している。ウエスト部２０は、図２に示すように、側面にスリット５を有し、そのスリット５よりも前面側は、締め付け紐２が通るように袋状に内側に折り返されて縫製され、内側紐通し６を形成している。一方、スリット５よりも背面側も、締め付け紐２が通るように袋状に内側に折り返されて縫製され、内側紐通し８を形成しているが、かかる内側紐通し８の内部、すなわち腰部には、２周巻回される締め付け紐２を通す板状部材３が配置されている。板状部材３は、上下２段に区分されており、各段に締め付け紐２が１回ずつ通される。
【０００９】
かかる武道着下衣１において、締め付け紐２は、まずスリット５よりも背面側に通される。すなわち、締め付け紐２は、まず背面側の内側紐通し８に一方の開口部より通される。そして、内側紐通し８の中には板状部材３が配置されているが、締め付け紐２は最初に板状部材３の上段の区画３ａに通される。その後、締め付け紐２は一旦内側紐通し８の他方の開口部から出され、続いて前面側の内側紐通し６に一方の開口部から通されるとともに他方の開口部から出され、再度、背面側の内側紐通し８に前記一方の開口部より通される。内側紐通し８の中に通された締め付け紐２は、続いて板状部材３の下段の区画３ｂに通され、内側紐通し８の前記他方の開口部から出される。このように締め付け紐２は、上下２段に区分された板状部材３の各段に１回ずつ通され、ウエスト部の周りを２周巻回した状態で両端部が締結される。
【００１０】
このとき、武道着下衣１においては、板状部材３が上下２段に区分されており、各段に締め付け紐２が１回ずつ通されるので、腰部において締め付け紐２が重ったり交差したりせず、実質的に並行に配置されることになる。そのため、脱着時に締め付け紐２の滑りがよくなり、発汗等で水分を大量に含んだ状態であっても、紐を緩めたり締め付けたりすることが容易になる。また、締め付け紐２を通す部材として板状のものを採用しているので、２周巻かれた締め付け紐２による締め付け力を、幅広の面で身体に作用させることができる。そのため、着用時に締め付け紐２が身体に局所的に食い込んで圧迫したりすることがなく、また腰や脊髄を保護することもでき、さらには着用時の安定感を高めることもできる。
【００１１】
そして、武道着下衣１は、次のように構成することも好ましい。すなわち、かかる武道着下衣１を構成する布帛として、大量の汗を吸収した際にも武道着下衣が足に張り付きにくいよう、内側（身体に接する側）にヒッコリーコード織の布帛を採用することが好ましい。かかる織組織の布帛は、柔軟性に優れ、着用時の身体の動きを妨げることがないとともに、皮膚との接触面積を低減することで身体へのべたつきを防ぐことができる。また、汗が縦方向に流れ易く、速乾性にも優れる。
【００１２】
また、武道着下衣１は、前面に小便用の開口部を有することが好ましく、かかる開口部にはゴムボタンを設けることが好ましい。かかる構成により、従来の武道着が備えていなかった用便機能を付与することができ、さらに安全面でも問題を生じない。
【００１３】
このような本発明の武道着下衣は、いかなる上衣と合わせて使用に供されてもよいが、たとえば図３に示す武道着上衣と合わせて着用される。なお、図３は、武道着上衣の概略模式図（（ａ）前面側、（ｂ）背面側）である。
【００１４】
図３に示す武道着上衣５０は、主に袖部５１と、胴部５２と、襟部５３とから構成される。胴部５２は、左前身頃５４、右前身頃５５、後身頃５６から構成され、着用時に胸囲、胴囲に併せて左前身頃５４および右前身頃５５の重ね合わせ位置を調整できるよう、左前身頃５４の内側側面側端部と右前身頃５５の重ね合わせ側端部に紐が設けられている。また、右前身頃５５に重ね合わせた左前身頃５４の端部を固定するために、左前身頃５４の重ね合わせ側端部の内側および右前身頃５５の外側に一対の面ファスナー６０、６１が設けられている。そして、右前身頃５５の外側に設けられる面ファスナー６１は、着用者によって左前身頃５４および右前身頃５５の重ね合わせ位置が大きく異なる場合でも対応できるよう、上下方向および左右方向にその面積を大きくすることが好ましい。一方、左前身頃５４の内側に設けられる面ファスナー６０は、大きくしすぎると、着用者の肌や内側の衣類を傷つける虞があるので、小さくすることが好ましい。また、武道着上衣５０には、必要に応じてワッペン等を着用できるように、胸部にも面ファスナー６２が設けられている。
【００１５】
このような武道着上衣５０は、たとえば綿１００％の布帛で縫製してもよいが、汗を吸い込んでも軽量でかつ柔軟な、たとえばポリエステル等を混在した布帛で縫製することが好ましい。また、かかる布帛によれば、生地の強度を弱めることなく薄くすることができるのでの、ごわつきを低減し、さらに軽量にすることが可能である。そして洗濯による収縮を防ぐこともできる。
【図面の簡単な説明】
【００１６】
【図１】本発明の一実施形態を示す武道着下衣の概略模式図である。
【図２】図１に示す武道着下衣１のウエスト部２０を上方から開いて見た概略模式図である。
【図３】武道着上衣の概略模式図（（ａ）前面側、（ｂ）背面側）である。
【符号の説明】
【００１７】
１    武道着下衣
２    締め付け紐
３    板状部材
３ａ  上段の区画
３ｂ  下段の区画
５    スリット
６    内側紐通し
８    内側紐通し
１０    脚部
２０    ウエスト部
５０    武道着上衣
５１    袖部
５２    胴部
５３    襟部
５４    左前身頃
５５    右前身頃
５６    後身頃
６０    面ファスナー
６１    面ファスナー
６２    面ファスナー
【図１】
2009249796.tif 000003
【図２】
2009249796.tif 000004
【図３】
2009249796.tif 000005